(57)【要約】【課題】液体媒体の加熱器へ液体だけを供給することによって、加熱器での加熱効率を高く維持することのできる蒸気タービン発電装置を得ること。【解決手段】高圧蒸気タービン１と、当該高圧蒸気タービン１から排出される蒸気の熱によって液体媒体を沸騰させて低圧蒸気を発生する液体媒体の加熱器２と、当該加熱器２で発生した低圧蒸気によって駆動する低圧蒸気タービン３と、当該低圧蒸気タービン３から排出される低圧蒸気を冷却する冷却器４とを備え、前記冷却器４で冷却された液体媒体を再度前記加熱器２へ供給することにより、高圧蒸気タービン１と低圧蒸気タービン３の２段階で蒸気タービン発電を行うものにおいて、前記冷却器４の出口側で前記加熱器２の入口側に、気体と液体とを分離する気液分離器５を設けて、当該気液分離器５で分離された液体を加熱器２へ供給する。【選択図】図１
2015014222.tif 000002
【特許請求の範囲】
【請求項１】
高圧蒸気タービンと、当該高圧蒸気タービンから排出される蒸気の熱によって水より沸点の低い液体媒体を沸騰させて低圧蒸気を発生する液体媒体の加熱器と、当該加熱器で発生した低圧蒸気によって駆動する低圧蒸気タービンと、当該低圧蒸気タービンから排出される低圧蒸気を冷却する冷却器とを備え、前記冷却器で冷却された液体媒体を再度前記加熱器へ供給することにより、高圧蒸気タービンと低圧蒸気タービンの２段階で蒸気タービン発電を行うものにおいて、
前記冷却器の出口側で前記加熱器の入口側に、気体と液体とを分離する気液分離器を設けて、
当該気液分離器で分離された液体を加熱器へ供給すること
を特徴とする蒸気タービン発電装置。
【発明の詳細な説明】
【技術分野】
【０００１】
本発明は、蒸気の膨張力を利用して発電機を回転駆動させて電気を発電することのできる蒸気タービン発電装置に関する。
【背景技術】
【０００２】
蒸気タービン発電装置は、高圧蒸気タービンと、この高圧蒸気タービンから排出される蒸気の熱によって水より沸点の低い液体媒体を沸騰させて低圧蒸気を発生する液体媒体の加熱器と、加熱器で発生した低圧蒸気によって駆動する低圧蒸気タービンと、この低圧蒸気タービンから排出される低圧蒸気を冷却する冷却器から成り、高圧蒸気タービンと低圧蒸気タービンの２段階で蒸気タービン発電を行うことができるものである。
【０００３】
この蒸気タービン発電装置においては、低圧蒸気を発生する液体媒体の加熱器へ、液体媒体のみならず低圧蒸気タービンから排出される低圧蒸気の一部が混合して供給されるために、液体媒体の加熱器での加熱効率が所定値以上に上昇しない場合があり得た。
【先行技術文献】
【特許文献】
【０００４】
【特許文献１】特開２０１３−１１２７２号公報
【発明の概要】
【発明が解決しようとする課題】
【０００５】
したがって本発明が解決しようとする課題は、液体媒体の加熱器へ液体だけを供給することによって、加熱器での加熱効率を高く維持することのできる蒸気タービン発電装置を提供することである。
【課題を解決するための手段】
【０００６】
本発明は、高圧蒸気タービンと、当該高圧蒸気タービンから排出される蒸気の熱によって水より沸点の低い液体媒体を沸騰させて低圧蒸気を発生する液体媒体の加熱器と、当該加熱器で発生した低圧蒸気によって駆動する低圧蒸気タービンと、当該低圧蒸気タービンから排出される低圧蒸気を冷却する冷却器とを備え、前記冷却器で冷却された液体媒体を再度前記加熱器へ供給することにより、高圧蒸気タービンと低圧蒸気タービンの２段階で蒸気タービン発電を行うものにおいて、前記冷却器の出口側で前記加熱器の入口側に、気体と液体とを分離する気液分離器を設けて、当該気液分離器で分離された液体を加熱器へ供給するものである。
【発明の効果】
【０００７】
本発明の蒸気タービン発電装置は、冷却器と加熱器の間に気液分離器を設けて、この気液分離器で分離された液体だけを加熱器へ供給することによって、加熱器での加熱効率を高く維持することができる。
【図面の簡単な説明】
【０００８】
【図１】本発明の蒸気タービン発電装置の実施例を示す構成図。
【発明を実施するための形態】
【０００９】
本発明は、冷却器と加熱器との間に気液分離器（セパレータ）を設けるものであるが、この気液分離器としては、旋回式や衝突式、あるいは、フィルター式など従来公知のものを使用することができる。
【００１０】
図１は、本発明の蒸気タービン発電装置の実施例を示す構成図である。図１において、高圧蒸気タービン１と、液体媒体の加熱器２と、低圧蒸気タービン３と、冷却器４と、気液分離器５と、第二の気液分離器１８とで蒸気タービン発電装置を構成する。
【００１１】
高圧蒸気タービン１の入口側に高圧蒸気供給管６を接続する。なお、高圧蒸気タービン１には、図示しない発電機を連結する。この発電機は、高圧蒸気タービン１の回転力によって発電することができる。
【００１２】
液体媒体の加熱器２には、高圧蒸気タービン１の出口管７を接続すると共に、液体媒体の供給管８を接続する。液体媒体の供給管８からは、水より沸点の低い液体媒体が供給される。水より沸点の低い液体媒体（例えばノルマルペンタン）は、高圧蒸気タービン１の出口管７から供給される蒸気で加熱され、液体媒体の蒸気となって管路９から低圧蒸気タービン３へ至る。低圧蒸気タービン３には、図示しない発電機を連結する。この発電機は、低圧蒸気タービン３の回転力によって発電することができる。液体媒体の加熱器２の下端部には管路１０を接続して、加熱器２で液体媒体に熱を奪われて凝縮した復水を所定箇所へ排出する。
【００１３】
低圧蒸気タービン３の出口管１１を第二の気液分離器１８と接続する。第二の気液分離器１８の気体出口を管路２０によって冷却器４と接続する。第二の気液分離器１８の液体出口を管路２１によって後述する液体媒体循環ポンプ１４の吸込側、すなわち、管路１３と接続する。また、冷却器４には冷却水供給管１２と冷却水排出管１９を接続する。低圧蒸気タービン３の出口管１１と第二の気液分離器１８の管路２０から冷却器４へ供給される液体媒体の蒸気は、冷却水供給管１２から供給される冷却水によって冷却され、液体媒体と一部の液体媒体の蒸気との混合流体となって管路１３から液体媒体循環ポンプ１４に吸引される。
【００１４】
循環ポンプ１４の出口側管路１５に気液分離器５を配置する。気液分離器５の気体出口１６を管路２２によって冷却器４と接続する。気液分離器５の下端部の液体出口１７を液体媒体の供給管８の下端部と接続する。気液分離器５は冷却器４の出口側で加熱器２の入口側に位置する。
【００１５】
液体媒体循環ポンプ１４から気液分離器５へ供給される液体媒体と、一部の液体媒体の蒸気との混合流体は、気液分離器５で液体と蒸気が分離され、分離された液体媒体だけが液体出口１７から液体媒体の供給管８を通って加熱器２へ供給される。このように、気液分離器５で分離された液体だけを加熱器２へ供給することによって、加熱器２での液体媒体から蒸気への変換が促進されて、加熱器２での加熱効率を高く維持することができる。一方、気液分離器５で分離された液体媒体の蒸気は、気体出口１６と管路２２を通って冷却器４へ供給される。
【産業上の利用可能性】
【００１６】
本発明は、蒸気の膨張力を利用して発電機を回転駆動させて電気を発電することのできる蒸気タービン発電装置として利用することができる。
【符号の説明】
【００１７】
１  高圧蒸気タービン
２  液体媒体の加熱器
３  低圧蒸気タービン
４  冷却器
５  気液分離器
６  高圧蒸気供給管
８  液体媒体の供給管
１２  冷却水供給管
１４  液体媒体循環ポンプ
１６  気体出口
１７  液体出口
【図１】
2015014222.tif 000003